(57)【要約】【課題】小型化が可能な照明装置を提供する。【解決手段】照明装置１０は、構造物の施工面に取り付けられる本体２０と、本体２０に立設された脚部２３と、脚部２３の一方の端部に着脱可能に取り付けられる接続部４１を有する取付け板４０と、取付け板４０に配置される発光部３０と、を備え、脚部２３は、接続部４１に形成された開口部（被係合部）４１ａと係合する凸部（係合部）２４ａを有する。【選択図】図５
2018077996.tif 000002
【特許請求の範囲】
【請求項１】
構造物の施工面に取り付けられる本体と、
前記本体に立設された脚部と、
前記脚部の一方の端部に着脱可能に取り付けられる接続部を有する取付け板と、
前記取付け板に配置される発光部と、を備え、
前記脚部は、前記接続部に形成された被係合部と係合する係合部を有する
照明装置。
【請求項２】
前記接続部は、前記取付け板の端部が前記本体側へ折れ曲がって形成される
請求項１に記載の照明装置。
【請求項３】
前記係合部及び前記被係合部は、一方が前記一方の一部が貫通して形成された開口部であり、他方が前記他方の一部が突出して形成された凸部である
請求項１又は２に記載の照明装置。
【請求項４】
前記取付け板は、前記脚部が有するばね材により保持される
請求項１〜３のいずれか１項に記載の照明装置。
【請求項５】
前記脚部は、前記ばね材と、前記ばね材よりも剛性が高い支持板とを有する
請求項４に記載の照明装置。
【請求項６】
前記支持板は、前記施工面に対して平行な方向にスライド挿入されて前記脚部に取り付けられる前記取付け板の、前記施工面に対して垂直な方向における前記本体とは反対側への方向の動きを規制する規制部を有する
請求項５に記載の照明装置。
【請求項７】
前記本体は、前記施工面に取り付けられる平板状のベース部を有し、
前記脚部は、前記ベース部の周縁近傍で、且つ前記ベース部の主面に対して垂直な方向に立設され、
前記規制部は、前記支持板の一方の端部が前記照明装置の内方に向かって折れ曲がって形成される
請求項６に記載の照明装置。
【請求項８】
前記支持板には孔が形成されており、
前記ばね材は、前記係合部を有し、
前記ばね材及び前記支持板は、前記係合部が前記孔に係合して前記本体に立設される
請求項６又は７に記載の照明装置。
【請求項９】
前記取付け板は、前記発光部が載置される載置面、及び、前記発光部が出射する光を反射する、前記載置面の周囲に配置された反射面を有する
請求項１〜８のいずれか１項に記載の照明装置。
【請求項１０】
平面視した場合に、前記発光部は前記取付け板の略中央に位置し、
前記取付け板は、前記発光部から離れるにつれて開口面積が広がる漏斗形状である
請求項１〜９のいずれか１項に記載の照明装置。
【請求項１１】
さらに、前記取付け板に覆われて前記本体に載置され、前記発光部に電力を供給する蓄電池を備える
請求項１〜１０のいずれか１項に記載の照明装置。
【請求項１２】
さらに、前記発光部が出射する光を透過する光透過部材を有し、前記本体に着脱可能に取り付けられる透光カバーを備え、
前記照明装置は、前記発光部が出射する光の光軸方向の長さに対して、前記光軸に対して垂直な方向の長さが長い扁平形状である
請求項１〜１１のいずれか１項に記載の照明装置。
【発明の詳細な説明】
【技術分野】
【０００１】
本発明は、照明装置に関する。
【背景技術】
【０００２】
近年、ＬＥＤ（Ｌｉｇｈｔ  Ｅｍｉｔｔｉｎｇ  Ｄｉｏｄｅ）を利用した照明装置が普及しつつある。例えば特許文献１には、ＬＥＤ基板と電源回路とを有するＬＥＤ照明器具において、ＬＥＤ基板を収納するＬＥＤケーシングと、ＬＥＤケーシングとは別体に構成され、電源回路を収納する電源ケーシングとを備える照明装置が開示されている。また、特許文献１に記載の照明装置は、ＬＥＤケーシングと電源ケーシングとが着脱可能に組み付けられるように構成されている。
【先行技術文献】
【特許文献】
【０００３】
【特許文献１】特開２００８−２５８０６６号公報
【発明の概要】
【発明が解決しようとする課題】
【０００４】
ところで、照明装置が設置される場所においては、照明装置によって外観を損ねないために照明装置の小型化の要望がある。
【０００５】
本発明は、小型化が可能な照明装置を提供する。
【課題を解決するための手段】
【０００６】
本発明の一態様に係る照明装置は、構造物の施工面に取り付けられる本体と、前記本体に立設された脚部と、前記脚部の一方の端部に着脱可能に取り付けられる接続部を有する取付け板と、前記取付け板に配置される発光部と、を備え、前記脚部は、前記接続部に形成された被係合部と係合する係合部を有する。
【発明の効果】
【０００７】
本発明によれば、小型化が可能な照明装置が実現される。
【図面の簡単な説明】
【０００８】
【図１】図１は、実施の形態に係る照明装置の下方から見た外観斜視図である。
【図２】図２は、実施の形態に係る照明装置の下方から見た分解斜視図である。
【図３】図３は、取付け板に取り付けられる構成要素を取付け板から取り外した図である。
【図４】図４は、実施の形態に係る照明装置の断面図である。
【図５】図５は、取付け板が本体に取付けられる際の、取付け板の動きを示す図である。
【図６】図６は、脚部の分解斜視図である。
【図７】図７は、本体に取付け板が取付けられた状態を示す外観斜視図である。
【図８】図８は、取付け板が本体に取りつけられる際の、板ばねの形状を示す、図７のＶＩＩＩ−ＶＩＩＩ線に沿って切断された断面図である。
【図９】図９は、取付け板が本体に取り付けられる際の、板ばねの形状を示す、図７のＩＸ−ＩＸ線に沿って切断された断面図である。
【発明を実施するための形態】
【０００９】
以下、実施の形態について、図面を参照しながら具体的に説明する。なお、以下で説明する実施の形態は、いずれも包括的又は具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１０】
また、各図は、模式図であり、必ずしも厳密に図示されたものではない。なお、各図において、実質的に同一の構成に対しては同一の符号を付しており、重複する説明は省略又は簡略化される場合がある。
【００１１】
以下の実施の形態の図面においては、Ｙ軸方向は、例えば上下方向（鉛直方向）であり、Ｙ軸正方向側は、上側又は天井側と記載される場合がある。また、Ｙ軸負方向側は、下側又は光出射側と記載される場合がある。また、Ｘ軸方向及びＺ軸方向は、Ｙ軸に垂直な平面（水平面）上において、互いに直交する方向である。また、以下の実施の形態において、平面視とは、Ｙ軸方向から見ることを意味する。
【００１２】
（実施の形態）
まず、実施の形態に係る照明装置の構成について詳細に説明する。図１は、実施の形態に係る照明装置の下方から見た外観斜視図である。図２は、実施の形態に係る照明装置の下方から見た分解斜視図である。図３は、実施の形態に係る照明装置が備える取付け板に取り付けられる構成要素を取付け板から取り外した図である。図４は、実施の形態に係る照明装置の断面図である。
【００１３】
図１〜図４に示されるように、照明装置１０は、本体２０と、発光部３０と、取付け板４０と、透光カバー５０と、蓄電池６０と、制御ユニット７０と、端子台８０と、を備える。
【００１４】
照明装置１０は、例えば、マンションの共用部などの半屋外空間で使用される、防災用（非常用）の照明装置である。照明装置１０は、具体的には、シーリングライトとして天井やブラケットライトとして壁面などの施工面に取り付けられる。本実施の形態においては、照明装置１０の平面視形状は、円形である。
【００１５】
本体２０は、天井又は壁面などの構造物の施工面に取り付けられる部材であり、言い換えれば、取付台である。本体２０は、例えば、アルミダイカスト等によって形成されるが、その他の金属、又は樹脂によって形成されてもよい。本体２０は、平面視形状が円形の平板状のベース部２１と、ベース部２１の周縁近傍の下側（主面２１ａ側）に立設した側壁部２２とを含む。
【００１６】
ベース部２１は、本体２０を構造物に取り付けるための取付構造（開口）が設けられている。ベース部２１は、平板状であり、後述する蓄電池６０等の照明装置１０の構成部材が載置される主面２１ａ側とは反対側の面が、構造物の施工面に取り付けられる。なお、構造物の施工面と主面２１ａとは、略平行となる。また、以下の実施の形態では、本体２０（照明装置１０）は、天井に取り付けられるものとして説明が行われる。ベース部２１には、脚部２３が２つ取り付けられる。
【００１７】
脚部２３は、ベース部２１の周縁近傍に配置され、一方の端部（下側の端部）が取付け板４０が有する接続部４１に接続され、他方の端部（上側の端部）が本体２０の主面２１ａに対して垂直な方向に立設された状態で接続される。言い換えれば、脚部２３は、取付け板４０を本体２０に取り付けるための部材である。２つの脚部２３は、ベース部２１の周縁近傍に対向して配置される。このように、取付け板４０が脚部２３によってベース部２１に接続される構造とすることで、発光部３０が発する熱は、取付け板４０、脚部２３、ベース部２１の順に伝わる。したがって、発光部３０がベース部２１に直接載置される構造よりも、発光部３０が発する熱がベース部２１に伝わりにくい効果が得られる。脚部２３は、コの字状（Ｕ字状、ブラケット状）に折り曲げられた板材である。脚部２３は、板ばね（ばね材）２４と、支持板２５とを備える。
【００１８】
板ばね２４は、取付け板４０を着脱可能に保持する、変形した際に元の形状に戻ろうとする復元力（ばね復元力）を有した弾性体である。具体的には、板ばね２４が有する凸部（係合部）２４ａが取付け板４０の接続部４１が有する開口部（被係合部）４１ａに係合することにより、取付け板４０は板ばね２４に保持される。板ばね２４は、例えば、ステンレス鋼材等の金属材料によって形成される。
【００１９】
支持板２５は、板ばね２４を支持する板材であり、板ばね２４よりも剛性が高い金属材料で形成される。例えば、支持板２５は、板ばね２４よりも弾性率が高い金属材料で形成されることにより、高い剛性を有する。一具体例としては、支持板２５は、亜鉛めっきされた鋼板によって形成される。なお、支持板２５は、板ばね２４よりも剛性が高ければよく、板ばね２４と同一の材料を用いてもよい。その場合、板ばね２４及び／又は支持板２５の、形状、サイズなどを適宜調整すればよい。
【００２０】
また、支持板２５の一方の端部は、照明装置１０の内方に向かって直角に折れ曲がっている。支持板２５の一方の端部が折れ曲がることにより略水平になった部分である規制部２５ｂには、取付け板４０が載置される。つまり、規制部２５ｂは、照明装置１０の脚部２３（具体的には支持板２５）の一方の端部が折れ曲がって形成された部分である。本実施の形態においては、規制部２５ｂは、支持板２５の一方の端部が折れ曲がることにより主面２１ａと略水平になっている。脚部２３が規制部２５ｂを有することにより、作業者は、脚部２３に取付け板４０を取り付ける際に、取付け板４０を設置する位置を認識しやすい。また、照明装置１０が構造物の壁又は天井に取り付けられた際にも、規制部２５ｂによって取付け板４０の動きが規制される。具体的には、規制部２５ｂによって、取付け板４０は、構造物の施工面から遠ざかる方向への動きが規制される。言い換えると、規制部２５ｂによって、取付け板４０は、構造物の施工面に対して垂直な方向における、本体２０とは反対側への方向の動きが規制される。そのため、取付け板４０が本体２０に取り付けられている状態においては、取付け板４０は、規制部２５ｂに支持される。本実施の形態においては、取付け板４０が本体２０に取り付けられている状態において、取付け板４０は、規制部２５ｂに載置されている。規制部２５ｂに載置された取付け板４０は、板ばね２４によって本体２０に保持される。また、支持板２５の他方の端部は、照明装置１０の内方に向かって直角に折れ曲がっており、ベース部２１にネジ止めされる。
【００２１】
なお、支持板２５は、本体２０とは別体であるが、本体２０と一体形成されてもよい。この場合、支持板２５は、本体２０の一部としてアルミダイカストによって形成される。
【００２２】
本体２０のベース部２１の主面２１ａには、蓄電池６０、制御ユニット７０及び端子台８０が載置される。
【００２３】
蓄電池６０は、発光部３０に電力を供給する電源である。蓄電池６０は、例えば、外部からの交流電力の供給が停止されたときに、非常用の電源として使用される。蓄電池６０は、例えば、ニッケル水素電池である。蓄電池６０は、充電及び放電が可能な電池であればよく、リチウムイオン電池又は鉛蓄電池等であってもよい。蓄電池６０は、蓄電池カバー６１によって下方から覆われる。蓄電池カバー６１は、例えば、アルミダイカストによって形成されるが、樹脂によって形成されてもよい。
【００２４】
制御ユニット７０は、照明装置１０の外部から供給される交流電力を直流電力に変換して発光部３０に供給する電源回路ユニットである。具体的には、制御ユニット７０は、基板に回路部品が実装されることにより形成された電源回路と、樹脂製のカバーとを有する。電源回路は、整流回路及びインバータ回路などを含む。制御ユニット７０は、例えば、ベース部２１の主面２１ａに載置された状態でベース部２１にネジ止めされる。
【００２５】
端子台８０は、外部交流電源と制御ユニット７０とを電気的に接続させるために電線が差し込まれる１又は複数の端子が配設された端子ユニットである。交流電力は、端子台８０に差し込まれた電線を介して外部交流電源から制御ユニット７０へ供給される。
【００２６】
また、電源回路には、蓄電池６０を充電する充電回路が含まれる。充電回路は、照明装置１０の外部から供給される交流電力を蓄電池６０の充電に適した直流電力に変換し、直流電力によって蓄電池６０を充電する。本実施の形態においては、停電時などの非常時においても照明装置１０の使用が可能なように、蓄電池６０はトリクル充電される。
【００２７】
また、電源回路には、外部からの交流電力の供給の停止（停電）を検出する検出回路、及び、蓄電池６０を放電する放電回路も含まれる。検出回路によって停電が検出されると、放電回路は、蓄電池６０を放電させる。この結果、蓄電池６０は、発光部３０に直流電力を供給する。これにより、照明装置１０は、停電時も発光を継続することができる。
【００２８】
発光部３０は、照明装置１０の光源として機能する。発光部３０は、具体的には、基板上に実装されたＬＥＤチップが、蛍光体を含有する透光性樹脂によって封止されたＣＯＢ（Ｃｈｉｐ  Ｏｎ  Ｂｏａｒｄ）型の発光モジュール３１を備える。発光部３０は、円形の発光領域を有する。本実施の形態においては、発光部３０は、さらに、配光を制御するためのレンズ３３、及び、発光部３０を取付け板４０にネジ止めするためのホルダ３２を備える。発光部３０は、例えば、白色光を主とした照明光を下方に向けて出射する。つまり、発光部３０は、白色光を透光カバー５０に向けて出射する。
【００２９】
また、発光部３０は、透光カバー５０が備える光透過部材５１と取付け板４０との間に配置される。また、平面視した場合に、発光部３０は取付け板４０下面の略中央に位置する載置面４２ａに配置される。発光部３０は、取付け板４０の載置面４２ａに載置され、載置面４２ａにねじ止めされる。なお、図示されないが、発光部３０は、蓄電池６０及び制御ユニット７０とリード線などによって電気的に接続される。
【００３０】
ところで、上述したように照明装置が備える光源の交換等のために、壁、天井等の構造物に固定される照明装置の本体と、照明装置が備える照明装置の構成部品とが着脱可能に取り付けられる場合がある。実施の形態に係る照明装置１０においては、照明装置１０は蓄電池６０を備える。蓄電池が内蔵された例えば防災用（非常用）の照明装置は、定期的に蓄電池の状態を確認する必要がある。この際に、蓄電池が、蓄電池に要求される能力を満たしていないことが確認された場合、蓄電池は交換される必要がある。そのために、照明装置１０においては、本体２０に取り付けられている蓄電池６０を交換しやすくするために、取付け板４０及び透光カバー５０は本体２０と着脱可能に取り付けられている。
【００３１】
取付け板４０は、発光部３０を保持し、本体２０に着脱可能に保持される取付け部材である。具体的には、取付け板４０は、施工面に対して平行な方向にスライド挿入されることにより、脚部２３の一方の端部に着脱可能に取り付けられる。また、取付け板４０は、ベース部２１の主面２１ａに載置された蓄電池６０、制御ユニット７０及び端子台８０を覆うように本体２０に取り付けられる。言い換えると、蓄電池６０、制御ユニット７０及び端子台８０は、取付け板４０に覆われて本体２０に載置される。また、取付け板４０は、発光部３０の光軸方向（Ｙ軸方向）において、本体２０（具体的にはベース部２１）と透光カバー５０（具体的には透光カバー５０が備える光透過部材５１）との間に配置される。図４に示されるように、取付け板４０とベース部２１との間、及び、取付け板４０と光透過部材５１との間のそれぞれには、空隙（空気層）が配置される。つまり、取付け板４０は、本体２０及び光透過部材５１のいずれの部材とも直接接触しない。このように、発光部３０が取付け板４０の載置面４２ａに載置される構造によれば、発光部３０がベース部２１に載置される構造よりも、発光部３０が発する熱がベース部２１に伝わりにくい効果が得られる。
【００３２】
また、取付け板４０は、上方（ベース部２１側）に向かうほど縮径する略漏斗状である。言い換えると、取付け板４０は、発光部３０から離れるにつれて開口面積が広がる漏斗形状である。取付け板４０は、例えば、アルミニウムによって形成されるが、その他の金属又は樹脂によって形成されてもよい。
【００３３】
図３に示されるように、取付け板４０は、取付け板４０の下面側に載置面４２ａ及び反射面４２ｂを有する。
【００３４】
載置面４２ａは、取付け板４０の略中心部に位置し、発光部３０が載置される平面である。載置面４２ａは、発光部３０の光軸と垂直な平面であり、取付け板４０のうち光透過部材５１側（下側）の面（光透過部材５１と対向する面）の一部である。載置面４２ａの平面視形状は、特に限定されるものではないが、本実施の形態においては円形である。発光部３０は、載置面４２ａに載置されることにより、光透過部材５１と取付け板４０との間に位置する。
【００３５】
なお、発光部３０と載置面４２ａとの間には、放熱シートなどの放熱部材が配置されてもよい。
【００３６】
また、取付け板４０のうち載置面４２ａの反対側の面、つまり、載置面４２ａと背向する面には、ヒートシンクが配置されてもよい。ヒートシンクによれば、発光部３０が発光中に発する熱を当該ヒートシンクに逃がすことができる。ヒートシンクは、例えば、アルミダイカストによって形成されるが、その他の金属によって形成されてもよい。
【００３７】
また、取付け板４０は、発光部３０が出射する光を反射する反射面４２ｂを備えるとよい。本実施の形態においては、取付け板４０は、発光部３０が出射する光を反射する反射板である。反射面４２ｂは、載置面４２ａの周囲を囲むように載置面４２ａと連続的に形成された面であり、発光部３０が出射する光の一部を光透過部材５１に向けて反射する。反射面４２ｂは、取付け板４０のうち光透過部材５１側（下側）の面（光透過部材５１と対向する面）の一部である。反射面４２ｂは、テーパ面であるが、反射面４２ｂは、径方向において一部又は全部が湾曲していてもよい。なお、反射面４２ｂには、高反射塗装が行われるとよい。
【００３８】
取付け板４０の周縁部（Ｚ軸方向の両端部のそれぞれ）には、一対の接続部４１が配置される。接続部４１は、脚部２３の端部に対応して本体２０に向かって直角に折れ曲がっている。このように、接続部４１が、脚部２３の端部に対応して折れ曲がっていることにより、取付け板４０の取り付け位置が脚部２３の端部であることを照明装置１０の設置作業者に認識させることができる。なお、取付け板４０の周縁部に配置される接続部４１の数は特に限定されるものではない。接続部４１には、開口部４１ａと係止部４３とが形成される。
【００３９】
開口部４１ａは、板ばね２４に形成された凸部２４ａが係合する孔である。なお、開口部４１ａは、凸部２４ａが係合すればよく、貫通孔ではなく、凹形状が形成されてもよい。また、開口部４１ａと凸部２４ａとが係合すればよく、接続部４１に突起した形状の凸部が形成され、板ばね２４に板ばね２４を貫通する孔である開口部が形成されてもよい。つまり、係合部（凸部）及び被係合部（開口部）は、板ばね２４及び接続部４１の一方に凸部が形成されており、他方に開口部が形成されていればよい。
【００４０】
係止部４３は、取付け板４０が脚部２３に取り付けられる際に、凸部２４ａと開口部４１ａとが適切に係合されるために取付け板４０の動きを制限する構造である。具体的には、係止部４３は、脚部２３に取付け板４０が取り付けられる方向とは反対側（Ｘ軸負方向側）の接続部の端部が、脚部２３側（照明装置１０の外方）に折れ曲がって形成される。こうすることで、取付け板４０が脚部２３に取り付けられる際に、係止部４３が脚部２３に引っかかるため、凸部２４ａと開口部４１ａとが係合する適切な位置で取付け板４０の動きは規制される。
【００４１】
図４に示されるように、取付け板４０は、脚部２３の他方の端部に形成された規制部２５ｂに、取付け板４０が折れ曲がって形成された角部が沿うように、脚部２３に形成された規制部２５ｂの上方から載置される。載置された取付け板４０は、接続部４１に形成された取付け板４０を貫通する開口である開口部４１ａに、脚部２３が有する板ばね２４の一部が突出して形成された突起（凸部２４ａ）が係合することによって保持される。
【００４２】
透光カバー５０は、照明装置１０の外郭筐体の一部を構成する、本体２０と着脱可能なカバー部材である。透光カバー５０は、光透過部材５１と、筒体５２とを備える。
【００４３】
光透過部材５１は、下方に向かって突出した略円形ドーム状の光学部材（グローブ）である。光透過部材５１は、例えば、白色又は乳白色であり、光拡散性（光散乱性）及び透光性を有する。
【００４４】
光透過部材５１は、筒体５２の下側の開口を塞ぐように筒体５２に取り付けられる。光透過部材５１は、具体的には、外側に向かって鍔状にせり出した光透過部材５１の縁が、カバー保持具（不図示）の下面と筒体５２の鍔状にせり出した部分の上面との間に挟み込まれることによって、筒体５２に取り付けられる。
【００４５】
光透過部材５１は、例えば、ガラスによって形成されるが、シリコーン樹脂、アクリル樹脂、又は、ポリカーボネート樹脂によって形成されてもよい。また、光透過部材５１は、表面にシルク印刷が行われることによって光拡散性を有してもよい。また、光透過部材５１は、シリカ又は炭酸カルシウムなどの光拡散材（微粒子）を含有することにより光拡散性を有してもよい。また、光透過部材５１の表面（内面又は外面）に光拡散材等を含む乳白色の光拡散膜を形成することで、光透過部材５１は光拡散性を有してもよい。また、光拡散材を用いるのではなくシボ加工処理等によって光透過部材５１の表面に微小凹凸を形成したり、光透過部材５１の表面にドットパターンを印刷したりすることで、光透過部材５１は光拡散性を有してもよい。また、上述した光拡散性を持たせる材料、形状等を組み合わせることで、光透過部材５１は光拡散性を有してもよい。
【００４６】
筒体５２は、発光部３０及び取付け板４０などを側方から囲む筒状筐体である。筒体５２は、円筒状である。筒体５２は、本体２０及び光透過部材５１とともに、照明装置１０の外郭筐体を構成する。筒体５２は、外郭筐体の側壁部分に相当する。なお、図４に示されるように、筒体５２は、脚部２３には接触しない。筒体５２と脚部２３との間には空隙（空気層）が配置される。
【００４７】
筒体５２は、上側の開口に本体２０が配置された状態で回動されることにより、本体２０に接続される。筒体５２は、例えば、アルミダイカストによって形成されるが、その他の金属、又は、樹脂によって形成されてもよい。
【００４８】
また、本体２０に透光カバー５０が取り付けられた場合に、照明装置１０は、発光部３０が出射する光の光軸方向の長さに対して、当該光軸方向に対して垂直な方向の長さの方が大きい扁平形状である。具体的には、図４に示されるように、照明装置１０は、Ｙ軸方向の長さ（照明装置の高さ）よりもＺ軸方向の長さ（照明装置の幅）の方が大きい扁平形状である。なお、本実施の形態においては、照明装置１０は、平面視において円形であるが、楕円形状又は多角形などでもよく、平面視形状は限定されない。照明装置１０の平面視形状が円形ではない場合は、照明装置１０は、発光部３０が出射する光の光軸に平行な方向の長さに対して、照明装置１０における最も長い垂直な方向の長さの方が大きい扁平形状であればよい。
【００４９】
なお、照明装置１０が防災用の照明装置として採用される場合、照明装置１０の外郭筐体を構成する本体２０及び透光カバー５０は、不燃性又は難燃性の材料で形成されるとよい。具体的には、上述したように、本体２０及び筒体５２はアルミダイカストによって形成され、光透過部材５１はガラスによって形成されるとよい。こうすることにより、火災が発生した際などに、照明装置１０が延焼によって発火することが抑制される。
【００５０】
以上、実施の形態に係る照明装置１０の構成について詳細に説明した。
【００５１】
次に、本体２０に取付け板４０が取り付けられる際の取付け板４０の動きを説明する。
【００５２】
図５は、取付け板４０が本体２０に取り付けられる際の、取付け板４０の動きを示す図である。
【００５３】
取付け板４０は、本体２０の側方から取付け板４０がスライド挿入されることで、本体２０（具体的には脚部２３）に取り付けられる。具体的には、取付け板４０が本体２０へスライド挿入される方向（取り付けられる方向）は、ベース部２１の主面２１ａ（又は構造物の施工面）に対して平行な方向である。本実施の形態においては、ベース部２１の主面２１ａ（及び構造物の施工面）はＸＺ平面である。
【００５４】
図５に示されるように、取付け板４０は、本体２０に向かってスライド挿入されることで、脚部２３に取付けられる。図５においては、取付け板４０はＸ軸正方向側へスライドされることで、脚部２３に取付けられる。
【００５５】
ここで、ベース部２１の主面２１ａ側に載置される蓄電池６０、制御ユニット７０及び端子台８０は、取付け板４０が本体２０にスライド挿入される際に取付け板４０と接触しない位置に載置されるとよい。具体的には、上述したように取付け板４０は略漏斗状であるため、載置面４２ａの上部ではなく、反射面４２ｂ又は取付け板４０の周縁部の上部に蓄電池６０、制御ユニット７０及び端子台８０が載置されるとよい。また、蓄電池６０、制御ユニット７０及び端子台８０は、取付け板４０がスライド挿入される側である本体２０のＸ軸負方向側ではなく、その反対側である本体２０のＸ軸正方向側に配置されるとよい。こうすることで、取付け板４０は、蓄電池６０、制御ユニット７０及び端子台８０に接触することなく、脚部２３に取付けられる。つまり、照明装置１０は小型化される。
【００５６】
また、図５に示されるように、取付け板４０は一対の接続部４１を有する。また、本体２０には、一対の脚部２３が立設される。ここで、一対の接続部４１と一対の脚部２３とはそれぞれが対応した位置に配置される。具体的には、脚部２３に取付け板４０がスライド挿入される際には、図５の一点鎖線の矢印の方向に取付け板４０はスライドされ、一方の接続部４１が一方の脚部２３に配置され、他方の接続部４１が他方の脚部２３に配置される。
【００５７】
次に、脚部２３の詳細と、取付け板４０が脚部２３に取り付けられた状態の詳細について説明する。
【００５８】
図６は、脚部２３の分解斜視図である。図７は、本体２０（具体的には脚部２３）に取付け板４０が取付けられた状態を示す外観斜視図である。なお、図７は、本体２０に立設された一対の脚部２３のうちの一方を拡大して示した部分拡大図である。また、図７においては、説明のために脚部２３及び取付け板４０の一部のみを拡大して図示している。
【００５９】
図６に示されるように、支持板２５には、支持板２５を貫通した孔２５ａが形成されている。板ばね２４及び支持板２５は、凸部２４ａが孔２５ａに係合するように本体２０のベース部２１に配置される。
【００６０】
取付け板４０が本体２０にスライド挿入される際には、取付け板４０の下面側が規制部２５ｂの上面側に配置される。つまり、取付け板４０が脚部２３に取り付けられる際には、規制部２５ｂ及びガイド２６により取付け板４０の上下方向（主面２１ａ及び構造物の施工面に垂直な方向）の動きが規制される。さらには、規制部２５ｂにより取付け板４０の動く方向が規制された状態で取付け板４０が本体２０にスライド挿入されることで、接続部４１に形成された開口部４１ａと板ばね２４が有する凸部２４ａとが係合される。つまり、図７に示されるように、取付け板４０は脚部２３に保持された状態となる。なお、ガイド２６は、取付け板４０が脚部２３に取り付けられる際に、取付け板４０の本体２０側への動きを規制するガイドである。
【００６１】
次に、凸部２４ａと開口部４１ａとが係合される際の板ばね２４の形状について説明する。
【００６２】
図８は、取付け板４０を本体２０にスライド挿入する際の、板ばね２４の形状を示す、図７のＶＩＩＩ−ＶＩＩＩ線に沿って切断された断面図である。図９は、取付け板４０を本体２０にスライド挿入する際の、板ばね２４の形状を示す、図７のＩＸ−ＩＸ線に沿って切断された断面図である。具体的には、図８の（ａ）及び図９の（ａ）は、脚部２３に取付け板４０が取り付けられていない状態である。また、図８の（ｂ）及び図９の（ｂ）は、脚部２３に取付け板４０が取り付けられる過程において、板ばね２４が取付け板４０によって変形している状態である。また、図８の（ｃ）及び図９の（ｃ）は、脚部２３に取付け板４０が取り付けられた状態である。なお、図８及び図９は、本体２０に立設された一対の脚部２３のうちの一方を拡大して示す部分拡大図である。また、図８及び図９においては、説明のために脚部２３及び取付け板４０の一部のみを拡大して図示している。また、図９に示される一点鎖線の矢印は、取付け板４０が動かされる方向を示す。また、図９に示される二点鎖線の矢印は、凸部２４ａが動かされる方向を示す。
【００６３】
図８の（ｂ）及び図９の（ｂ）に示されるように、取付け板４０が本体２０にスライド挿入される過程において、規制部２５ｂには、取付け板４０が載置される。また、板ばね２４は、取付け板４０の接続部４１に押されることによって変形する。ここで、凸部２４ａの形状は、平面視（上面視又は下面視）した場合に、凸部２４ａが突出方向に向かうにつれて幅が縮小した形状であるとよい。
【００６４】
図９に示されるように、本実施の形態においては、平面視した場合に、凸部２４ａは、Ｚ軸正方向側に突出し、Ｚ軸正方向側に短辺を有する略台形形状となっている。つまり、凸部２４ａには傾斜面２４ｂが形成されている。取付け板４０が本体２０にスライド挿入される過程において、接続部４１は、傾斜面２４ｂをスライド挿入される方向へ押しこむ。図８の（ｂ）及び図９の（ｂ）に示されるように、凸部２４ａは、傾斜面２４ｂが取付け板４０に押し込まれることにより、Ｚ軸負方向側へ動く。具体的には、傾斜面２４ｂが取付け板４０に押し込まれることにより、凸部２４ａがＺ軸負方向側へ動くように板ばね２４が変形する。
【００６５】
図８の（ｃ）及び図９の（ｃ）に示されるように、取付け板４０が本体２０にさらにスライド挿入されることで、板ばね２４は、ばね復元力により元の状態（図８の（ａ）及び図９の（ａ）に示す状態）に戻る。これにより、凸部２４ａは開口部４１ａに係合する。
【００６６】
なお、本実施の形態においては、凸部２４ａを平面視した場合に、凸部２４ａは、Ｚ軸正方向側に短辺を有する略台形形状としたが、限定されるものではない。平面視した場合に、凸部２４ａは、例えば、半円形状などの、傾斜面２４ｂが湾曲した曲面でもよい。
【００６７】
（効果等）
以上説明したように、照明装置１０は、構造物の施工面に取り付けられる本体２０と、本体２０に立設された脚部２３と、脚部２３の一方の端部に着脱可能に取り付けられる接続部４１を有する取付け板４０と、取付け板４０に配置される発光部３０と、を備える。また、脚部２３は、接続部４１に形成された開口部（被係合部）４１ａと係合する凸部（係合部）２４ａを有する。
【００６８】
これにより、照明装置１０は、取付け板４０を脚部２３へ取り付ける場合に、ビス等を使用することなく取付け板４０を脚部２３へ着脱可能に取り付けることが可能となる。そのため、照明装置１０によれば、ビス等によって照明装置１０のサイズが大きくなることが抑制できる。つまり、照明装置１０によれば、小型化が可能な照明装置が実現される。
【００６９】
また、接続部４１は、取付け板４０の端部が本体２０側へ折れ曲がって形成されてもよい。
【００７０】
これにより、作業者は、本体２０に取付け板４０を取り付ける際に、取付け板４０の取り付け位置が認識しやすい。
【００７１】
また、係合部２４ａ及び被係合部４１ａは、一方が当該一方の一部が貫通して形成された孔である開口部であり、他方が当該他方の一部が突出して形成された凸部でもよい。
【００７２】
つまり、開口部４１ａと凸部２４ａとが係合する簡便な構成により、取付け板４０は本体２０に設置され得る。
【００７３】
また、取付け板４０は、脚部２３が有する板ばね（ばね材）２４により保持されてもよい。
【００７４】
これにより、取付け板４０は、簡便に脚部２３に着脱可能に取り付けられやすくなる。
【００７５】
また、脚部２３は、板ばね（ばね材）２４と、板ばね（ばね材）２４よりも剛性が高い支持板２５とを有してもよい。
【００７６】
板ばね２４は、支持板２５に支持されてベース部２１に立設されることにより、取付け板４０が脚部２３に繰り返し着脱された場合においても、板ばね２４が変形して元の形状に戻らなくなることが抑制される。そのため、取付け板４０が脚部２３に繰り返し取り着脱された場合においても、適切に凸部２４ａが開口部４１ａに係合され易くなる。
【００７７】
また、支持板２５は、構造物の施工面に対して平行な方向にスライド挿入されて脚部２３に取り付けられる取付け板４０の、当該施工面に対して垂直な方向における本体２０とは反対側への方向の動きを規制する規制部２５ｂを有してもよい。
【００７８】
これにより、取付け板４０が脚部２３に取り付けられる際に、規制部２５ｂが接続部４１の動きを規制するガイドとなる。そのため、作業者は、取付け板４０を適切に本体２０に取り付けやすくなる。
【００７９】
また、本体２０は、構造物の施工面に取り付けられる平板状のベース部２１を有し、脚部２３は、ベース部２１の周縁近傍で、且つベース部２１の主面２１ａに対して垂直な方向に立設されてもよい。また、規制部２５ｂは、支持板２５の一方の端部が照明装置１０の内方に向かって折れ曲がって形成されてもよい。
【００８０】
これにより、取付け板４０が脚部２３へ取り付けられる際には、規制部２５ｂが接続部４１の動きを規制するガイドとなり、且つ取付け板４０を脚部２３へ取り付けた状態においては、規制部２５ｂは取付け板４０を支持する。そのため、取付け板４０が脚部２３から外れることが抑制される。
【００８１】
また、支持板２５には、孔２５ａが形成されてもよい。また、板ばね（ばね材）２４は、凸部（係合部）２４ａを有し、板ばね（ばね材）２４及び支持板２４は、凸部（係合部）２４ａが孔２５ａに係合して本体２０に立設されてもよい。
【００８２】
これにより、支持板２５の孔２５ａによって凸部２４ａの位置が規制されるために、凸部２４ａの位置が変わりにくい。そのため、取付け板４０が脚部２３に取付けられる際の、凸部２４ａと開口部４１ａとの位置関係が変わりにくい。つまり、凸部２４ａと開口部４１ａとが適切に係合されない状態となることが抑制される。
【００８３】
また、取付け板４０は、発光部３０が載置される載置面４２ａ、及び、発光部３０が出射する光を反射する、載置面４２ａの周囲に配置された反射面４２ｂを有してもよい。
【００８４】
これにより、発光部３０から出射される光は、効果よく照明装置１０の内部から照明装置１０の外部へ導かれる。そのため、照明装置１０の光利用効率は向上される。
【００８５】
また、照明装置１０を平面視した場合に、発光部３０は取付け板４０の略中央に位置し、取付け板４０は、発光部３０から離れるにつれて開口面積が広がる漏斗形状でもよい。
【００８６】
これにより、反射面４２ｂで反射される発光部３０から出射される光は、照明装置１０の外部へより効率よく導かれる。
【００８７】
また、照明装置１０は、取付け板４０に覆われて本体２０に載置され、発光部３０に電力を供給する蓄電池６０を備えてもよい。
【００８８】
これにより、照明装置１０は、停電などが発生した際においても、蓄電池６０から発光部３０へ電力が供給される。そのため、例えば災害などが発生した場合に外部交流電源から電力が供給されない場合においても、発光部３０は光を出射することができる。
【００８９】
また、照明装置１０は、発光部３０が出射する光を透過する光透過部材５１を有し、本体２０に着脱可能に取り付けられる透光カバー５０をさらに備えてもよい。また、照明装置１０は、発光部３０が出射する光の光軸方向の長さに対して、当該光軸に対して垂直な方向の長さが長い扁平形状でもよい。
【００９０】
これにより、照明装置１０が壁や天井等の構造物の施工面に取り付けられた場合に、照明装置１０は施工面から突き出たように見える外観上の問題が抑制される。
【００９１】
（その他の実施の形態）
以上、実施の形態に係る照明装置について説明したが、本発明は、このような実施の形態に限定されるものではない。
【００９２】
上記実施の形態で説明された照明装置の形状は、一例である。例えば、上記実施の形態では、照明装置の平面視形状は、円形であったが、照明装置の平面視形状は、矩形などの多角形であってもよい。
【００９３】
また、上記実施の形態では、発光部として、ＣＯＢ型の発光モジュールが用いられたが、発光部の態様は特に限定されるものではない。例えば、ＳＭＤ型の発光モジュールが発光部として用いられてもよい。また、発光部には、ＬＥＤチップを用いた発光モジュールに代えて、蛍光管、メタルハライドランプ、ナトリウムランプ、ハロゲンランプ、キセノンランプ、または、ネオン管等が用いられてもよい。また、発光部には、無機エレクトロルミネッセンス、有機エレクトロルミネッセンス、ケミルミネッセンス（化学発光）、または、半導体レーザー等が用いられてもよい。
【００９４】
以上、一つまたは複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９５】
１０  照明装置
２０  本体
２１  ベース部
２１ａ  主面
２３  脚部
２４  板ばね（ばね材）
２４ａ  凸部（係合部）
２５  支持板
２５ａ  孔
２５ｂ  規制部
３０  発光部
４０  取付け板
４１  接続部
４１ａ  開口部（被係合部）
４２ａ  載置面
４２ｂ  反射面
５０  透光カバー
５１  光透過部材
６０  蓄電池
【図１】
2018077996.tif 000003
【図２】
2018077996.tif 000004
【図３】
2018077996.tif 000005
【図４】
2018077996.tif 000006
【図５】
2018077996.tif 000007
【図６】
2018077996.tif 000008
【図７】
2018077996.tif 000009
【図８】
2018077996.tif 000010
【図９】
2018077996.tif 000011